(57)【要約】【課題】左右方向の洗浄流量を増大させることで便鉢の洗浄領域を拡大することができる。【解決手段】洗浄水Ｗを噴出する吐水部２６と、吐水部２６の後側に設けられ、外部から吐水部２６に向けて洗浄水Ｗを供給する給水路２４と、を有し、吐水部２６には、壁面を前面に向けて設けられ、給水路２４に連通する給水開口２６１ｂが前記前面における左右中央に形成された吐水壁２６１が設けられ、吐水壁２６１の前面において、給水開口２６１ｂから供給された洗浄水は、正面視で左右中央に設けられる内側吐水路２６Ａ、及び内側吐水路２６Ａの左右外側に設けられる外側吐水路２６Ｂに分配され、外側吐水路２６Ｂに形成される外側流入口２６４ｂの外側入口面積Ｎ２は、内側吐水路２６Ａに形成される内側流入口２６２ｂの内側入口面積Ｍ２よりも大きく設定されたスプレッダーを提供する。【選択図】図１７
2019178573.tif 000002
【特許請求の範囲】
【請求項１】
使用状態で正面視したときの前面に位置する便鉢の正面に取り付けられ、洗浄水を前記便鉢に噴出するスプレッダーであって、
洗浄水を噴出する吐水部と、前記吐水部の後側に設けられ、外部から前記吐水部に向けて洗浄水を供給する給水路と、を有し、
前記吐水部には、
壁面を前面に向けて設けられ、前記給水路に連通する給水開口が前記前面における左右中央に形成された吐水壁が設けられ、
前記吐水壁の前面において、前記給水開口から供給された洗浄水は、正面視で左右中央に設けられる内側吐水路、及び該内側吐水路の左右外側に設けられる外側吐水路に分配され、
前記外側吐水路の面積は、前記内側吐水路の面積よりも大きく設定されていることを特徴とするスプレッダー。
【請求項２】
前記外側吐水路は、外入口の外側入口面積が外出口を構成する外側吐水口の外側出口面積よりも大きく、
かつ、前記内側吐水路は、内入口の内側入口面積が内出口を構成する内側吐水口の内側出口面積よりも小さい請求項１に記載のスプレッダー。
【請求項３】
前記外側吐水路の外出口を構成する外側吐水口における前後方向の長さ寸法は、前記内側吐水路の内出口を構成する内側吐水口における前後方向の長さ寸法よりも大きい請求項１に記載のスプレッダー。
【請求項４】
前記吐水壁の前面には、前記内側吐水路と前記外側吐水路とを仕切る内側ガイドが設けられ、
前記内側ガイドの左右中央に前記給水開口に連通する流入口が形成され、
前記内側ガイドは、前記内側吐水路における内入口側から内出口側に向けて斜め下方に延びるとともに、前記内入口側の第１ガイド部と前記内出口側の第２ガイド部とが異なる方向に向けて延在している請求項１乃至３のいずれか１項に記載のスプレッダー。
【請求項５】
前記吐水壁の前面には、前記内側ガイドの上方に間隔をあけて外側ガイドが設けられ、
前記外側吐水路は、前記内側ガイドと前記外側ガイドとの間に形成される流路である請求項１乃至４のいずれか１項に記載のスプレッダー。
【請求項６】
前記吐水壁の前面には、前記内側吐水路の左右中央に滴下防止ガイドが設けられている請求項１乃至５のいずれか１項に記載のスプレッダー。
【請求項７】
請求項１乃至６のいずれか１項に記載のスプレッダーを前記便鉢の正面に取り付けられた小便器であって、
前記スプレッダーの前記吐水部から噴出される洗浄水は、前記内側吐水路から前記便鉢の下方に向けて噴出され、前記外側吐水路から前記便鉢の左右方向に広がるように噴出されることを特徴とする小便器。
【発明の詳細な説明】
【技術分野】
【０００１】
本発明は、スプレッダー及び小便器に関する。
【背景技術】
【０００２】
従来、小便器として、例えば特許文献１に示すような、便鉢の幅方向の中心部を洗浄する洗浄水を噴出する内側吐水口と、左右両側の領域に広げて洗浄水を洗浄する外側吐水口と、を有する吐水装置を備えた小便器が知られている。
特許文献１には、スプレッダー内に２系統の給水管が設けられ、それぞれの給水管が内側吐水口と外側吐水口に接続され、給水管毎に吐水する洗浄水の噴出流量が調整された構成となっている。
【先行技術文献】
【特許文献】
【０００３】
【特許文献１】特開２０１６−１０２３６６号公報
【発明の概要】
【発明が解決しようとする課題】
【０００４】
しかしながら、上述した特許文献１に示すような従来の小便器では、洗浄流量が低い場合には、外側吐水口の洗浄流量も低くなることから、便鉢の左右方向に向けて十分な距離をもって噴出させることができないという問題があった。そのため、左右方向の領域まで十分に洗浄できないおそれがあり、その点で改良の余地があった。
【０００５】
本発明は、上述する問題点に鑑みてなされたもので、左右方向の洗浄流量を増大させることで便鉢の洗浄領域を拡大することができるスプレッダー及び小便器を提供することを目的とする。
【課題を解決するための手段】
【０００６】
上記目的を達成するため、本発明に係るスプレッダーは、使用状態で正面視したときの前面に位置する便鉢の正面に取り付けられ、洗浄水を前記便鉢に噴出するスプレッダーであって、洗浄水を噴出する吐水部と、前記吐水部の後側に設けられ、外部から前記吐水部に向けて洗浄水を供給する給水路と、を有し、前記吐水部には、壁面を前面に向けて設けられ、前記給水路に連通する給水開口が前記前面における左右中央に形成された吐水壁が設けられ、前記吐水壁の前面において、前記給水開口から供給された洗浄水は、正面視で左右中央に設けられる内側吐水路、及び該内側吐水路の左右外側に設けられる外側吐水路に分配され、前記外側吐水路の面積は、前記内側吐水路の面積よりも大きく設定されていることを特徴としている。
【０００７】
また、本発明に係る小便器は、上述したスプレッダーを前記便鉢の正面に取り付けられた小便器であって、前記スプレッダーの前記吐水部から噴出される洗浄水は、前記内側吐水路から前記便鉢の下方に向けて噴出され、前記外側吐水路から前記便鉢の左右方向に広がるように噴出されることを特徴としている。
【０００８】
本発明によれば、吐水部における外側吐水路と内側吐水路のそれぞれに対応する箇所の少なくとも一部の面積において、外側吐水路の面積を内側吐水路の面積よりも大きくすることで、外側吐水路の外出口から噴出される洗浄水（外側洗浄水）による横方向の洗浄流量を増加させることができる。そのため、スプレッダーを小便器の便鉢の正面に配置した状態において、外側洗浄水はその勢いが増大されて下に落ちにくくなり、左右方向への噴出距離が大きくなるので、便鉢の側面部の洗浄を良好に行うことができ、便鉢を広範囲にわたって洗浄することができる。
【０００９】
また、本発明に係る小便器は、前記外側吐水路は、外入口の外側入口面積が外出口を構成する外側吐水口の外側出口面積よりも大きく、かつ、前記内側吐水路は、内入口の内側入口面積が内出口を構成する内側吐水口の内側出口面積よりも小さいことが好ましい。
【００１０】
この場合には、外側吐水路における外入口の外側入口面積を外側吐水口の外側出口面積よりも大きくすることで、外側洗浄水の流速を大きくして噴出距離を伸ばして、より遠い位置まで吐水することができる。さらに、内側吐水路における内入口の内側入口面積を内側吐水口の内側出口面積よりも小さくすることで、内側洗浄水の流速を小さくして噴出範囲を広くして吐水することができる。
【００１１】
また、本発明に係るスプレッダーは、前記外側吐水路の外出口を構成する外側吐水口における前後方向の長さ寸法は、前記内側吐水路の内出口を構成する内側吐水口における前後方向の長さ寸法よりも大きいことが好ましい。
【００１２】
この場合には、外出口（外側吐水口）の前後方向の長さ、すなわち奥行長さを大きくすることで、洗浄水を左右方向に広げ過ぎずに開口面積を大きくすることができ、これにより便鉢外に飛び出すことなく洗浄流量を増加することができる。このように洗浄流量を多くすることで水の勢いが増すため、便鉢の前方壁まで水が流しやすくなる。
つまり、本発明では、外側吐水口の開口面積を大きくするために、左右方向の開口寸法を長くした場合のような課題、すなわち、洗浄水の噴出範囲が拡がり過ぎて、便鉢の側面から洗浄水が飛び出すといった課題が生じることを抑制することができる。
【００１３】
また、本発明に係るスプレッダーは、前記吐水壁の前面には、前記内側吐水路と前記外側吐水路とを仕切る内側ガイドが設けられ、前記内側ガイドの左右中央に前記給水開口に連通する流入口が形成され、前記内側ガイドは、前記内側吐水路における内入口側から内出口側に向けて斜め下方に延びるとともに、前記内入口側の第１ガイド部と前記内出口側の第２ガイド部とが異なる方向に向けて延在していることを特徴としてもよい。
【００１４】
この場合には、給水開口から吐水部に給水された洗浄水の一部は、内側ガイドによって形成される内入口から内側吐水路に流入され、内出口の内側吐水口から便鉢に向けて噴出される。このとき、内側ガイドの内入口側に第１ガイド部が設けられているので、内側吐水路の内入口の開口幅を小さく抑え、給水開口から吐水部に給水された洗浄水が流入口から下方、すなわち内側吐水路への流入を抑制することができる。そのため、外側吐水路側へ誘導することができ、外側吐水路への流入量を増大させることができる。
また、内側ガイドの第２ガイド部の位置を調整することで、内側吐水口から噴出される洗浄水の広がりの上縁を規制することができる。
【００１５】
また、本発明に係るスプレッダーは、前記吐水壁の前面には、前記内側ガイドの上方に間隔をあけて外側ガイドが設けられ、前記外側吐水路は、前記内側ガイドと前記外側ガイドとの間に形成される流路であることが好ましい。
【００１６】
この場合には、外側吐水路を通る洗浄水の上側を外側ガイドに沿って案内することができる。つまり、外側ガイドを設けることで、外側吐水路の外出口である外側吐水口よりも外側に水が広がることを抑制でき、外側吐水口から噴出される洗浄水の広がりの上縁を規制することができる。
このように、本発明では、外側ガイドが設けられない場合のように、給水開口から吐水部に給水された洗浄水が給水開口から吐水口まで直接流通し、すなわち給水開口から吐水口までの間で他の部分に洗浄水が流れ込まない通水経路となるため、噴出される洗浄水の勢いの低下を防ぐことができる。
そのため、給水開口から外側吐水路に流入した洗浄水における外側吐水口までの流れを安定させることができ、外側吐水口から噴出する洗浄水の洗浄流量の低下を抑えることができる。
【００１７】
また、本発明に係るスプレッダーは、前記吐水壁の前面には、前記内側吐水路の左右中央に滴下防止ガイドが設けられていることが好ましい。
【００１８】
この場合には、滴下防止ガイドが便鉢の陶器面に接触させて設けることができ、便鉢に流れやすくなる。そのため、給水終了後にスプレッダー内の残留水が滴下防止ガイドを伝って便鉢の正面部分に流れるため、鉢底面に直接滴下するのを抑制することができる。
【発明の効果】
【００１９】
本発明のスプレッダー及び小便器によれば、左右方向の洗浄流量を増大させることで便鉢の洗浄領域を拡大することができる。
【図面の簡単な説明】
【００２０】
【図１】本発明の実施形態による小便器を示す斜視図である。
【図２】図１に示す小便器を前方から見た正面図である。
【図３】図２に示す小便器を右方向から見た側面図である。
【図４】図２に示すＩ−Ｉ線断面図である。
【図５】図２に示す小便器において便鉢の下方の一部を破断した正面図である。
【図６】小便器の水平断面図であって、（ａ）は図５に示すＩＩ−ＩＩ線断面図、（ｂ）は図５に示すＩＩＩ−ＩＩＩ線断面図、（ｃ）は図５に示すＩＶ−ＩＶ線断面図である。
【図７】図５に示すＶ−Ｖ線断面図である。
【図８】図２に示す小便器を上方から見た平面図である。
【図９】図２に示す小便器を下方から見た平面図であって前方を紙面左側にした図である。
【図１０】図３に示す小便器の下部の構成を示す要部拡大図である。
【図１１】図１０に示す小便器の縦断面図である。
【図１２】図４に示す小便器において、開口部の形状を示した図である。
【図１３】（ａ）は図３に示すＶＩ−ＶＩ線断面図、（ｂ）はＶＩＩ−ＶＩＩ線断面図である。
【図１４】スプレッダーを左右方向から見た側面図である。
【図１５】スプレッダーを前方から見た正面図である。
【図１６】図１５に示すＶＩＩＩ−ＶＩＩＩ線断面図である。
【図１７】スプレッダーの吐水部を前方から見た正面図である。
【図１８】スプレッダーを下方から見た平面図であって、前面を紙面上側にした図である。
【発明を実施するための形態】
【００２１】
以下、本発明の実施形態によるスプレッダー及び小便器について、図面を参照しながら説明する。
【００２２】
図１〜図４に示すように、本実施形態による小便器１は、自身の最下部が床面から浮かされた状態となるように背後の壁面Ｋに沿って取り付けられる壁掛け式の小便器を対象としている。小便器１は、便鉢１１を有する陶器製の小便器本体１０と、便鉢１１を洗浄するためのスプレッダー２（図４参照）と、便鉢１１の鉢底面１１Ｃに設けられる排水口１１ｃに接続される排水トラップ３（図４参照）と、を備えている。
【００２３】
ここで、本実施形態においては、使用者が小便器１を正面視するように位置した際に使用者に近い側を前側とし、反対側の遠い側を後側とする。また、小便器１の前側と後側との間に連なる部分を側方とする。また、小便器１を前側から見たときの左右方向を左右方向Ｘ１といい、前側と後側の方向を前後方向Ｘ２という。
【００２４】
小便器本体１０は、前面に位置する便鉢１１と、便鉢１１の開口部１３から後方に向けて延びる周壁部１２と、を有している。小便器本体１０の後端縁１０ａは、側方から見て鉛直方向に延び、壁面Ｋに対して当接させた状態で設置される。
【００２５】
周壁部１２は、上面部１２Ａと、上面部１２Ａに連設される左右一対の側面部（左側面部１２Ｂ、右側面部１２Ｃ）と、左側面部１２Ｂ及び右側面部１２Ｃに連結され便鉢１１の下方前面に位置する前面部１２Ｄと、前面部１２Ｄ及び一対の側面部１２Ｂ、１２Ｃに連設される底面部１２Ｅと、を有している。周壁部１２の前端に形成される開口部１３は、便鉢１１の外周縁に対して連続的に接続されている。すなわち、便鉢１１と周壁部１２とは一体構造となっている。
【００２６】
上面部１２Ａは、前後方向Ｘ２に幅を有して左右方向Ｘ１に延在し、全体が左右方向Ｘ１の中央部から左右両側の側面部１２Ｂ、１２Ｃに向けて下向きに湾曲している。さらに、上面部１２Ａは、左右方向Ｘ１の全体にわたって前後方向Ｘ２で前側から後側へ向かうに従い漸次、下方になるように傾斜している。すなわち、少なくとも小便器本体１０の最上部（上面部１２Ａの頂部）において、手前側部分１２ａが奥側部分１２ｂよりも高い位置となっている。
【００２７】
左右に位置する左側面部１２Ｂ及び右側面部１２Ｃに前端は、上方から下方に向かうに従って漸次、前方となるように直線状に傾斜する前端傾斜部１２ｃが形成されている。さらに、左側面部１２Ｂ及び右側面部１２Ｃは、図５〜図８に示すように、上下方向Ｘ３の全体にわたって前後方向Ｘ２で前側から後側へ向かうに従い漸次、左右方向Ｘ１の内側から外側に向けて傾斜している。すなわち、左側面部１２Ｂ及び右側面部１２Ｃは、正面視で手前より奥側で左右方向Ｘ１の外側に張り出して見えるように形成されている。
【００２８】
また、左側面部１２Ｂ及び右側面部１２Ｃの下方領域は、図７に示すように、前方に向かって狭まるように湾曲しながら前面部１２Ｄにかけて傾斜している。このときの湾曲部の曲率半径Ｒは、例えばＲ１１０ｍｍと比較的で大きな曲率に設定されている。そのため、側面部１２Ｂ、１２Ｃに付着した小便は、前面部１２Ｄの凸頂部に集まる。
【００２９】
前面部１２Ｄは、図３及び図４に示すように、底面部１２Ｅから上方に向けて前方に傾く前傾斜に形成されている。
【００３０】
底面部１２Ｅは、前面部１２Ｄ及び両側面部１２Ｂ、１２Ｃのそれぞれの下端縁に連続的に接続されている。底面部１２Ｅには、図５、図９〜図１３に示すように、下方から見た平面視で中央部において上方に向けて窪んだ底凹部１２Ｆが形成されている。
【００３１】
排水トラップ３は、図４及び図５に示すように、管状の流路を形成し、一端の流入口３ａが便鉢１１の鉢底面１１Ｃの排水口１１ｃに接続され、他端の流出口３ｂが小便器本体１０の後面側に設けられている。図１１に示すように、排水トラップ３は、略下半部分が底凹部１２Ｆの凹部に配置されている。
【００３２】
具体的に排水トラップ３は、排水口１１ｃから下方に延びる排水筒３１と、排水筒３１の下端開口から排水筒３１の後方に向けて略１８０度折り返す湾曲壁３２と、湾曲壁３２から上方に向けて延びる上向き壁３３と、を有している。
排水筒３１は、排水筒３１内と外周側の後述する便器空間部１４とが連通しないように遮断する遮断壁を構成している。上向き壁３３の上部後面側には、上述した流出口３ｂが設けられている。この流出口３ｂには、壁面Ｋの内側に設けられる図示しない排水管の端部が接続される。排水トラップ３の湾曲壁３２の下端３２ａは、排水トラップ３全体の最も下端３ｃに位置し、底面部１２Ｅよりも上方に位置している。
【００３３】
図１０及び図１１に示すように、底凹部１２Ｆの下端縁に位置する底面部１２Ｅは、便鉢１１の排水口１１ｃに接続される排水トラップ３の下端３ｃよりも下方に位置している。
また、図１１に示すように、底凹部１２Ｆの後壁は、鉛直方向に延びる垂直壁１４３を形成している。この垂直壁１４３の上端から前方に向けて排水トラップ３の外周壁が接続されている。排水トラップ３における垂直壁１４３の前側に対向する部分（上向き壁３３）は、前方に向かうに従って漸次、水平面に対する傾斜角度が小さくなるように下向きに傾斜している。
【００３４】
なお、底凹部１２Ｆの陶器製の内面は、釉薬で被覆されている。このように底凹部１２Ｆの内面に被覆された釉薬によって滑らかに仕上げられているので、この内面に汚れが付着しにくくなる。そのうえ、釉薬が被覆された内面の清掃性が高まり、付着した汚れを簡単に落とすことが可能となるので、汚れが目立ちにくくなる。
【００３５】
小便器本体１０には、便鉢１１と周壁部１２との間で囲まれた中空状に形成され、排水トラップ３の周囲を囲む便器空間部１４が形成されている。
【００３６】
底面部１２Ｅに形成される底凹部１２Ｆは、部分的に排水トラップ３に沿った形状に形成されている。
底凹部１２Ｆの前方下端は、図２に示すように、左右方向Ｘ１の中央部で下側に凸となる左右凸曲面１２ｅが形成されている。
【００３７】
図１１に示すように、便器空間部１４を構成する底凹部１２Ｆの周壁には、底面部１２Ｅから上方に向けて延びる立上り壁１４１と、立上り壁１４１の上端から排水筒３１の外周面に向けて延びて、排水筒３１の上下方向の途中の位置で接続される連結壁１４２と、が設けられている。
【００３８】
連結壁１４２は、底凹部１２Ｆの天面に相当し、排水筒３１における後端寄りの位置から前方の範囲に配置されている。すなわち、連結壁１４２と、排水筒３１における連結壁１４２との接続部より上側の部分と、の間に便器空間部１４の一部（排水側空間１４Ａ）が形成されている（図１３（ａ）、（ｂ）参照）。
【００３９】
連結壁１４２は、図１１及び図１３（ｂ）に示す前方連結壁１４２Ａと、図１３（ａ）に示す後方連結壁１４２Ｂとからなり、前方連結壁１４２Ａが後方連結壁１４２Ｂよりも下方となる高さに位置し、それぞれの前後方向Ｘ２の境界部分に上下の段差が形成されている。双方の連結壁１４２Ａ、１４２Ｂ同士の前後方向Ｘ２の境界部分は、図９に示すように、排水トラップ３の排水筒３１（後述する）の前後方向Ｘ２の略中央部分に位置している。
【００４０】
底面部１２Ｅの前部には、図１０及び図１１に示すように、底凹部１２Ｆよりも前方の位置において、側面視で下に凸となる前後凸曲面１２ｄが形成されている。前後凸曲面１２ｄは、前面部１２Ｄから底面部１２Ｅに向けて連続する曲面で湾曲し、その湾曲部の後方側で上向きに延びて底凹部１２Ｆに接続するように形成されている。前後凸曲面１２ｄは、図９に示すように、下方から見た平面視で左右方向Ｘ１の全体にわたって前側に凸となるように湾曲している。このような湾曲部を設けることで、清掃性が良好となる。なお、前後凸曲面１２ｄにおける前側に凸となる湾曲部の曲面範囲は、左右方向Ｘ１の全体であることに限定されず、左右両側の角部のみに曲面を形成させた形状であってもよいが、清掃性を高めるためにはこの角部の曲面の曲率半径は大きい方が好ましい。
【００４１】
便鉢１１は、図１２に示すように、上部から下部まで使用者に対向するように開いた開口部１３を有している。開口部１３は、左側面部１２Ｂ及び右側面部１２Ｃのそれぞれの前端傾斜部１３ａ、１３ａと、一対の前端傾斜部１３ａ、１３ａの上端に連設する上面部１２Ａの上前端円弧部１３ｂと、一対の前端傾斜部１３ａ、１３ａの下端に連設する前面部１２Ｄの下前端円弧部１３ｃと、が形成されている。
一対の前端傾斜部１３ａ、１３ａ、上前端円弧部１３ｂ、及び下前端円弧部１３ｃは、それぞれ同一平面上に位置している。一対の前端傾斜部１３ａ、１３ａは、互いに平行となっている。上前端円弧部１３ｂ、及び下前端円弧部１３ｃは、それぞれ略同一の曲率半径からなる単一の円弧を形成している。開口部１３は、この開口部１３を含む平面に直交する方向から見て上下対称の形状をなしている。
【００４２】
便鉢１１は、図１３（ａ）、（ｂ）に示すように、上下方向Ｘ３の全領域において、正面部１１Ａと、正面部１１Ａの左右両側から前方に向けて突出するように延びる側面部１１Ｂと、鉢底面１１Ｃと、を有し、それぞれが滑らかに湾曲し、かつ連続的に接続している（図４参照）。
【００４３】
正面部１１Ａは、上方から鉢底面１１Ｃまで略鉛直方向に沿って延びている。正面部１１Ａにおける上端寄りの上部領域１１ａで左右方向Ｘ１の中央部には、前後方向Ｘ２に貫通する貫通穴１１ｂが形成されている。この貫通穴１１ｂには、スプレッダー２が嵌合されている。
【００４４】
正面部１１Ａと側面部１１Ｂ、１１Ｂとは、スプレッダー２から吐出される洗浄水Ｗを鉢底面１１Ｃまで導くことができるように、水平断面視で全体にわたって連続する凹曲面が形成されている。側面部１１Ｂは、図６（ａ）〜（ｃ）、及び図７に示すように、上方から下方に向かうに従い漸次、正面部１１Ａからの前方に向けて延びる突出量が増大している。つまり水平断面視において便鉢１１の凹部の深さは、下方に向かうほど上部よりも深くなっている。
【００４５】
また、正面部１１Ａの左右方向Ｘ１の幅寸法は、水平断面視において上下方向Ｘ３の全体にわたって開口部１３の開口幅よりも小さくなっている。
さらに、図７に示すように、便鉢１１と周壁部１２との接続部をなすリム１１Ｄは縁無し形状をなし、便鉢１１内の下方領域には、水平断面視でリム１１Ｄの開口幅Ｄ１よりも大きい幅Ｄ２を有する部分が形成されている。このような形状にすることにより、便鉢１１の外方に小便が跳ね返ることを抑制することができる。
【００４６】
左右一対の側面部１１Ｂ、１１Ｂの下側領域Ｐ１は、図１３（ａ）、（ｂ）に示すように、上方から鉢底面１１Ｃに向かうに従い漸次、左右方向Ｘ１の幅寸法が小さくなるとともに、手前から正面部１１Ａ側（後方側）に向かうに従い左右方向Ｘ１の幅が狭くなっている。
ここで、図３に示す側面視で、前後凸曲面１２ｄから上方に伸ばした延長線Ｐ０と前端傾斜部１２ｃ（開口部１３）との交点を通る水平方向の線を境界線Ｐとし、開口部１３において、境界線Ｐより下側を下側領域Ｐ１とし、上側を上側領域Ｐ２とする。
【００４７】
そして、本実施形態では、高さが低い小便器１であるので、下側領域Ｐ１の第１開口面積Ｓ１が一般の小便器よりも大きくなっている。ここで、下側領域Ｐ１の第１開口面積Ｓ１と上側領域Ｐ２の第２開口面積Ｓ２との比率は、例えば、Ｓ１：Ｓ２＝１：２に設定され、好ましくは１：１である。
このように構成することで、延長線Ｐ０より手前が曲面になることから、小便が前面部１２Ｄを介して前後凸曲面１２ｄに集まりやすい形状となり、図１及び図３の矢印Ｓで示すように、前後凸曲面１２ｄに小便が伝わり易くなる利点がある。
【００４８】
左右一対の側面部１１Ｂ、１１Ｂには、図４に示すように、便鉢１１の高さ方向でそれぞれ左右対称となるそれぞれの位置に洗浄棚１５が後方から前方に向けて下方向に延びて設けられている。この場合、小便器１は、スプレッダー２から吐水され左右一対の洗浄棚１５に乗った洗浄水Ｗが便鉢１１の下部前方の鉢底面１１Ｃに案内されるため、便鉢１１の下部前方を洗浄することができる。
また、洗浄棚１５は、前面部１２Ｄの先端よりも下の位置にあるので、意匠性がよい。
【００４９】
鉢底面１１Ｃの後方側には、図４及び図１１に示すように、上方に広がる椀形状をなす排水口１１ｃが設けられている。排水口１１ｃには、目皿４（図４参照）が配置されている。また、排水口１１ｃには、鉢底面１１Ｃの下方の便器空間部１４（後述する）に配置される排水トラップ３の上端が接続されている。
【００５０】
鉢底面１１Ｃは、排水口１１ｃに排水が集まるように、排水口１１ｃに向かって緩やかに傾斜している。さらに、鉢底面１１Ｃは、上面視で前後方向Ｘ２に延びる一対の略直線部とそれら直線部の前端同士、後端同士をそれぞれ曲線で繋いだトラック形状をなしている。なお、鉢底面１１Ｃは、手前側が広がっていない形状であればよいので、上述した直線部は前後方向Ｘ２に延びる直線でなくてもよい。
このように鉢底面１１Ｃに傾斜面が形成され、中心周辺（小便が良くあたる位置）における平面の断面積が小さくなっているので、この傾斜面に当たった小便が外方に跳ねにくくなっている。
一方で、例えば鉢底面の形状を手前側で広くすると、手前側の平面部分が広くなり、側面部と前面部を繋ぐ曲面が小さくなり、曲面部で先浄水の流速が低下して先に鉢底面に落ちやすくなるため、前面部１２Ｄ側まで洗浄し難くなる。本実施形態では、上述したように鉢底面１１Ｃが手前側に広がらない形状としたことで、洗浄水の流速の低下を抑制することができる。
【００５１】
目皿４は、図４に示すように、円盤状をなし、円盤状の中心軸を上下方向Ｘ３に向けた状態で配置され、外径が排水口１１ｃの内径より僅かに小さく形成されている。目皿４は、円盤状の外周面が排水口１１ｃの内周面に当接することがなく、円盤状の外周面と排水口１１ｃの内周面との間に所定の間隔を設けた状態で配置されている。
【００５２】
次に、スプレッダー２の構成について図面に基づいて詳細に説明する。
図１３（ａ）、（ｂ）に示すように、スプレッダー２は、便鉢１１における正面部１１Ａの上部領域１１ａのほぼ左右中央に設けられ、洗浄水Ｗを便鉢１１の中央領域Ｕ１から左右端側まで広がるように吐水する。スプレッダー２は、図１４及び図１５に示すように、洗浄水Ｗを噴出すると共に、小便器１の前に使用者が立ったことと遠ざかることを検出する超音波センサ２１が内蔵されている。超音波センサ２１は、送波器により超音波を対象物である使用者に向けて発信し、その反射波を受波器で受信することにより使用者を検出する機器である。本実施形態では、超音波センサ２１のセンサヘッド内に送波器と受波器が一体に設置されているものとする。
【００５３】
図１６に示すように、スプレッダー２は、外筒部２０と、外筒部２０内で上下方向Ｘ３の略中央部で上下に液密に仕切る区画壁２２と、を有し、図１３（ａ）、（ｂ）に示すように、中心軸を前後方向Ｘ２に向けて便鉢１１の正面部１１Ａに設けられている。スプレッダー２は、区画壁２２の上側に上述した超音波センサ２１に電気信号を送受信するための配線を収納する電装経路２３と、区画壁２２の下側に洗浄水Ｗを噴出するための給水路２４と、外筒部２０の先端を外側から嵌合して電装経路２３及び給水路２４の先端を覆う有頂筒状のカバー体２５と、を有している。
【００５４】
電装経路２３は、給水路２４に対して区画壁２２によって液密に仕切られているので、給水路２４内を通水する洗浄水Ｗが電装経路２３の内部の超音波センサ２１等の電装機器にかからない構成となっている。
超音波センサ２１は、円筒形状をなし、電装経路２３の先端にシリコンゴム等の弾性体２ａを介して配置されている。超音波センサ２１は、超音波照射角度や角度範囲は対象物からの距離や高さ等に応じて任意に設定可能に設けられている。カバー体２５には、超音波センサ２１が露出するように開口部が形成されている。
【００５５】
給水路２４の前端には、小便器１の便鉢１１に洗浄水Ｗを噴出するための吐水部２６が設けられている。給水路２４は、外部から吐水部２６に向けて洗浄水Ｗを供給する流路である。
吐水部２６は、図１７に示すように、区画壁２２の平面に対して略直交するように壁面を前面に向けて設けられるとともに、給水路２４に連通する給水開口２６１ｂが形成された吐水壁２６１を有している。給水開口２６１ｂは、吐水壁２６１における左右方向Ｘ１の中央部で区画壁２２寄りの上部に配置されている。吐水壁２６１は、下方に向かうに従い漸次、前方から後方に向かうように約１０°の傾斜角をもって便鉢１１の鉢面側に向けて傾斜し、洗浄水Ｗが鉢面に沿って流れやすくなっている。
【００５６】
吐水部２６には、洗浄水Ｗを便鉢１１のほぼ中央領域Ｕ１（図１３（ａ）、（ｂ）参照）に向けて吐水する内側吐水路２６Ａと、内側吐水路２６Ａの左右両側に配置され、洗浄水Ｗを便鉢１１のほぼ中央領域Ｕ１より広範囲の左右領域Ｕ２に広がるように吐水する外側吐水路２６Ｂと、が設けられている（図１８参照）。これにより給水開口２６１ｂから吐水部２６に供給される洗浄水Ｗは、内側ガイド２６２によって内側吐水路２６Ａと外側吐水路２６Ｂとに分配される。
【００５７】
内側ガイド２６２は、内側吐水路２６Ａと外側吐水路２６Ｂとを仕切る部材であり、給水開口２６１ｂの下方において、左右方向Ｘ１で双方の間に間隔をあけた左右両側の位置で吐水壁２６１の前面に設けられている。つまり、左右両側の内側ガイド２６２、２６２の左右中央に給水開口２６１ｂに連通する流入口が形成されている。
【００５８】
一対の内側ガイド２６２、２６２は、それぞれ内側吐水路２６Ａにおける内入口（内側流入口２６２ｂ）側から内出口（内側吐水口２６２ａ）側に向けて斜め下方に延びた形状をなしている。具体的に内側ガイド２６２は、内側流入口２６２ｂ側の水平ガイド部２６２Ａ（第１ガイド部）と、内側吐水口２６２ａ側の傾斜ガイド部２６２Ｂ（第２ガイド部）と、が異なる方向に向けて延在している。水平ガイド部２６２Ａは、上述した流入口２６ａを確保した位置から水平方向に延びている。傾斜ガイド部２６２Ｂは、水平ガイド部２６２Ａの流入口２６ａと反対側の端部から斜め下方に向けて延びている。水平ガイド部２６２Ａ、２６２Ａ同士の間には、それぞれ後述する滴下防止ガイド２６３との間に一対の内側流入口２６２ｂ、２６２ｂが形成されている。一対の傾斜ガイド部２６２Ｂの下端同士の間には、それぞれ後述する滴下防止ガイド２６３との間に一対の内側吐水口２６２ａ、２６２ａが形成されている。内側吐水路２６Ａは、内側ガイド２６２より下方の領域となる。内側ガイド２６２は、内側吐水路２６Ａを通過して噴出される内側洗浄水Ｗ１の広がりの上縁を規制している。
【００５９】
内側吐水路２６Ａには、一対の傾斜ガイド部２６２Ｂ、２６２Ｂ間の左右中央に配置され、左右に分断するように滴下防止ガイド２６３が設けられている。
【００６０】
また、吐水部２６には、一対の内側ガイド２６２、２６２の上方に間隔をあけて外側ガイド２６４が設けられている。外側ガイド２６４は、吐水壁２６１の前面に設けられ、給水開口２６１ｂの上端部分を中心にして左右対称に形成され、その片側が斜め下方に向けて吐水壁２６１の外周縁２６１ａまで延ばされている。つまり、吐水壁２６１における外側ガイド２６４の下方の領域は、略扇形になっている。
【００６１】
外側吐水路２６Ｂは、内側ガイド２６２と外側ガイド２６４との間に形成される流路である。給水開口２６１ｂを挟んだ左右片側における内側ガイド２６２の傾斜ガイド部２６２Ｂの外端部２６２ｃと外側ガイド２６４の外端部２６４ｃとの間には、外側吐水口２６４ａが形成されている。外側ガイド２６４は、外側吐水路２６Ｂを通過して噴出される外側洗浄水Ｗ２の広がりの上縁を規制している。
【００６２】
外側吐水路２６Ｂは、内側吐水路２６Ａの左右両外側に位置している。つまり、外側吐水口２６４ａから外側吐水路２６Ｂを通過して噴出される外側洗浄水Ｗ２の第２噴出角度は、内側吐水口２６２ａから内側吐水路２６Ａを通過して噴出される内側洗浄水Ｗ１の第１噴出角度よりも広角になっている。
【００６３】
また、本実施形態のスプレッダー２では、外側吐水路に形成される外入口（外側流入口２６４ｂ）の外側入口面積Ｎ２は、内側流入口２６２ｂの内側入口面積Ｍ２よりも大きく設定されている。
さらに、外側吐水路２６Ｂは、外側入口面積Ｎ２が外出口を構成する外側吐水口２６４ａの外側出口面積Ｎ１よりも大きく設定されている。かつ、内側吐水路２６Ａは、内側入口面積Ｍ２が内側吐水口２６２ａの内側出口面積Ｍ１よりも小さく設定されている。
【００６４】
本実施形態のスプレッダー２では、図１８に示すように、外側吐水路２６Ｂの外側吐水口２６４ａにおける前後方向Ｘ２の長さ寸法Ｖ２は、内側吐水口２６２ａにおける前後方向Ｘ２の長さ寸法Ｖ１よりも大きくなるように設定されている。
なお、外側吐水口２６４ａと内側吐水口２６２ａのそれぞれの前後方向Ｘ２の長さ寸法は、本実施形態に限定されることはなく、それぞれが前後方向Ｘ２に同じ長さ寸法に設定される構成であってもかまわない。
【００６５】
このように構成されるスプレッダー２では、図１３（ａ）、（ｂ）に示すように、小便器１の前に使用者が立つと、超音波センサ２１（図１４及び図１５）で人体を検出してその検出信号により吐水部２６から小便器１の便鉢１１に洗浄水Ｗが噴出される。そして、使用者が小便を終了して小便器１から遠ざかると、超音波センサ２１でこれを検出した検出信号が出力され、吐水部２６から便鉢１１に洗浄水Ｗが噴出されて便鉢１１を洗浄する。
また、超音波センサ２１を有するスプレッダー２は便鉢１１の正面部１１Ａに設置しているため、超音波センサ２１の超音波が物理的に干渉することがなく、相互干渉による誤検知を生じない。
そして、スプレッダー２では、左右両端近傍まで広がる水幕を形成することができる。
【００６６】
図１６に示すように、具体的にスプレッダー２において洗浄水Ｗを噴出する際には、図示しない給水管から供給された洗浄水Ｗがスプレッダー２の給水路２４を通り、給水開口２６１ｂから吐水部２６に供給される。そして、図１７に示すように、給水開口２６１ｂから吐水部２６に供給された洗浄水Ｗは、内側ガイド２６２によって内側吐水路２６Ａと外側吐水路２６Ｂに分配される。それぞれ内側吐水口２６２ａ及びその左右両側の外側吐水口２６４ａ、２６４ａから洗浄水Ｗが便鉢１１に噴出される。ここで、図１３（ａ）、（ｂ）において、吐水部２６から吐水され、左右側端部近傍まで広がった洗浄水Ｗ１、Ｗ２の流れを示している。
【００６７】
内側吐水口２６２ａから下方に噴出される内側洗浄水Ｗ１は、便鉢１１の中央領域Ｕ１に向けて吐水される。
外側吐水口２６４ａから左右方向に噴出される外側洗浄水Ｗ２は、中央領域Ｕ１よりも広範囲に広がるように左右領域Ｕ２に拡散されて吐水され、その一部が洗浄棚１５（図４参照）に乗って下部前方に案内されて鉢底面１１Ｃへ流下する。
そして、噴出された洗浄水Ｗ１、Ｗ２は、便鉢１１の鉢底面１１Ｃに向かって流れ、便鉢１１の中央領域Ｕ１及び左右領域Ｕ２にわたって広範囲にわたって洗浄することができる。
【００６８】
このように、スプレッダー２の吐水部２６から吐水される洗浄水Ｗは、スプレッダー２から放射状方向に、便鉢１１の面上を洗浄できない部分を生じさせないように広く広がるように流れ、便鉢１１を流下しながら便鉢１１全体を良好に洗浄することができる。
鉢底面１１Ｃまで流れた洗浄水Ｗは、排水口１１ｃから排水トラップ３を通過して排水される。
【００６９】
次に、本実施形態によるスプレッダー２及び小便器１の作用について説明する。
本実施形態のスプレッダー２及び小便器１では、図１７及び図１８に示すように、吐水部２６における外側吐水路２６Ｂの外側吐水口２６４ａの外側入口面積Ｎ２を内側吐水路２６Ａに形成される内側流入口２６２ｂの内側入口面積Ｍ２よりも大きくすることで、外側吐水路２６Ｂの外側吐水口２６４ａから噴出される外側洗浄水Ｗ２による横方向の洗浄流量を増加させることができる。
そのため、図１３（ａ）、（ｂ）に示すように、スプレッダー２を小便器１の便鉢１１の正面部１１Ａに配置した状態において、外側洗浄水Ｗ２はその勢いが増大されて下に落ちにくくなり、左右方向Ｘ１への噴出距離が大きくなるので、便鉢１１の側面部１１Ｂ、１１Ｂの洗浄を良好に行うことができ、便鉢１１を広範囲にわたって洗浄することができる。
【００７０】
また、本実施形態では、図１７に示すように、外側吐水口２６４ａの外側入口面積Ｎ２を外側出口面積Ｎ１よりも大きくすることで、外側洗浄水Ｗ２の流速を大きくして噴出距離を伸ばして、より遠い位置まで吐水することができる。さらに、内側吐水口２６２ａの内側入口面積Ｍ２を内側出口面積Ｍ１よりも小さくすることで、内側洗浄水Ｗ１の流速を小さくして噴出範囲を広くして吐水することができる。
【００７１】
さらに、本実施形態では、図１８に示すように、外側吐水口２６４ａの前後方向Ｘ２の長さ、すなわち奥行長さを大きくすることで、外側洗浄水Ｗ２を左右方向Ｘ１に広げ過ぎずに開口面積を大きくすることができ、これにより便鉢外に飛び出すことなく洗浄流量を増加することができる。このように洗浄流量を多くすることで水の勢いが増すため、※修正便鉢１１の前方壁まで水が流しやすくなる。
つまり、本実施形態では、外側吐水口２６４ａの開口面積を大きくするために、左右方向Ｘ１の開口寸法を長くした場合のような課題、すなわち、洗浄水Ｗの噴出範囲が拡がり過ぎて、便鉢１１の側面から洗浄水Ｗが飛び出すといった課題が生じることを抑制することができる。
【００７２】
また、本実施形態では、図１７に示すように、給水開口２６１ｂから吐水部２６に給水された洗浄水Ｗの一部は、内側ガイド２６２によって形成される内側流入口２６２ｂから内側吐水路２６Ａに流入され、内側吐水口２６２ａから便鉢１１に向けて噴出される。このとき、内側ガイド２６２の内側流入口２６２ｂ側に水平ガイド部２６２Ａが設けられているので、内側流入口２６２ｂの開口幅を小さく抑え、給水開口２６１ｂから吐水部２６に給水された洗浄水Ｗが流入口から下方、すなわち内側吐水路２６Ａへの流入を抑制することができる。そのため、外側吐水路２６Ｂ側へ誘導することができ、外側吐水路２６Ｂへの流入量を増大させることができる。
また、内側ガイド２６２の第２ガイド部２６２Ｂの位置を調整することで、内側吐水口２６２ａから噴出される内側洗浄水Ｗ１の広がりの上縁を規制することができる。
【００７３】
また、本実施形態の場合には、外側吐水路２６Ｂを通る洗浄水Ｗの上側を外側ガイド２６４に沿って案内することができる。つまり、外側ガイド２６４を設けることで、外側吐水路２６Ｂの外側吐水口２６４ａよりも外側に水が広がることを抑制でき、外側吐水口２６４ａから噴出される外側洗浄水Ｗ２の広がりの上縁を規制することができる。
このように、本実施形態では、外側ガイド２６４が設けられない場合のように、給水開口２６１ｂから吐水部２６に給水された洗浄水Ｗが給水開口２６１ｂから外側吐水口２６４ａまで直接流通し、すなわち給水開口２６１ｂから外側吐水口２６４ａまでの間で他の部分（吐水部２６における左右方向Ｘ１の部分（図１７の吐水壁２６１の前面における外側ガイド２６４の上側部分））に洗浄水Ｗが流れ込まない通水経路となるため、噴出される洗浄水Ｗの勢いの低下を防ぐことができる。
そのため、給水開口２６１ｂから外側吐水路２６Ｂに流入した洗浄水Ｗにおける外側吐水口２６４ａまでの流れを安定させることができ、外側吐水口２６４ａから噴出する外側洗浄水Ｗ２の洗浄流量の低下を抑えることができる。
【００７４】
また、本実施形態では、吐水壁２６１の前面における内側吐水路２６Ａの左右中央に滴下防止ガイド２６３が設けられているので、その滴下防止ガイド２６３が便鉢１１の陶器面に接触させて設けることができ、便鉢１１に流れやすくなる。そのため、給水終了後にスプレッダー２内の残留水が滴下防止ガイド２６３を伝って便鉢１１の正面部分に流れるため、鉢底面１１Ｃに直接滴下するのを抑制することができる。
【００７５】
このように本実施形態の小便器１によれば、左右方向の洗浄流量を増大させることで便鉢１１の洗浄領域を拡大することができる。
【００７６】
以上、本発明によるスプレッダー及び小便器の実施形態について説明したが、本発明は上記の実施形態に限定されるものではなく、その趣旨を逸脱しない範囲で適宜変更可能である。
【００７７】
例えば、本実施形態では、スプレッダー２の適用対象として、壁掛け式の小便器を対象としているが、床置き式の小便器に適用することも可能である。そして、小便器１の便鉢１１や周壁部１２における各部位の形状、大きさ、寸法、排水トラップ３の形状等の構成は、上述した実施形態に限定されることはなく、適宜、設定することが可能である。
【００７８】
また、スプレッダー２の吐水部２６の形状として、上述した実施形態のように各吐水路の面積を設定しているが、吐水部２６における外側吐水路２６Ｂと内側吐水路２６Ａのそれぞれに対応する箇所の少なくとも一部の面積において、外側吐水路２６Ｂの面積を内側吐水路２６Ａの面積よりも大きく設定されていればよい。
【００７９】
また、スプレッダー２の位置は、上述した実施形態で示した位置であることに限定されることがなく、便鉢１１の正面部１１Ａであればその高さ方向の位置は適宜設定することができ、左右方向Ｘ１の位置も中央であることが好ましいが、多少左右方向Ｘ１にずれた位置であってもかまわない。
【００８０】
さらに、本実施形態では、内側ガイド２６２、外側ガイド２６４、及び滴下防止ガイド２６３を設けた構成としているが、このようなガイド２６２、２６３、２６４を省略することも可能である。例えば、内側吐水路２６Ａと外側吐水路２６Ｂは、内側ガイド２６２や外側ガイド２６４によって形成される流路であることに制限されることはなく、他の構成であってもよい。
【００８１】
そして、内側ガイド２６２、外側ガイド２６４、及び滴下防止ガイド２６３の形状、位置などの構成も適宜変更することが可能である。例えば、本実施形態では、内側ガイド２６２の構成として、水平ガイド部２６２Ａと傾斜ガイド部２６２Ｂとを有しているが、これに限定されることはなく、水平ガイド部２６２Ａの延在方向が水平方向ではなく内側流入口２６２ｂから外側へ離れる方向に向けて緩やかに下向き傾斜が形成されていてもよい。
また、内側ガイド２６２の形状として、内側吐水路２６Ａにおける内側流入口２６２ｂ側から内側吐水口２６２ａ側に向けて斜め下方に延び、内側流入口２６２ｂ側の第１ガイド部と内側吐水口２６２ａ側の第２ガイド部とが異なる方向に向けて延在していればよいのであって、例えばガイド全体が湾曲した形状であってもよい。
【００８２】
さらにまた、内側ガイド２６２及び外側ガイド２６４は、スプレッダー２の前面に設けられるカバー体２５側に配置してもよい。この場合、小便器本体１０の陶器のサイズを変えてもスプレッダー２自体は共有することができる。しかも、スプレッダー２のカバー体２５を、内側ガイド２６２及び外側ガイド２６４が異なる位置、形状とされたものに変更するだけで、吐水の量や流速の割合を変化させることができる。
【００８３】
さらに、本実施形態では、便鉢１１の側面部１１Ｂ、１１Ｂに洗浄棚１５を設けた構成としているが、洗浄棚１５が設けられていない小便器であってもよい。
【００８４】
その他、本発明の趣旨を逸脱しない範囲で、上記した実施形態における構成要素を周知の構成要素に置き換えることは適宜可能である。
【符号の説明】
【００８５】
１  小便器
２  スプレッダー
３  排水トラップ
４  目皿
１１  便鉢
１１ｃ  排水口
１１Ａ  正面部
１１Ｂ  側面部
１１Ｃ  鉢底面
１２  周壁部
１３  開口部
２６  吐水部
２６Ａ  内側吐水路
２６Ｂ  外側吐水路
２６１ｂ  給水開口
２６２  内側ガイド
２６２Ａ  水平ガイド部（第１ガイド部）
２６２Ｂ  傾斜ガイド部（第２ガイド部）
２６２ａ  内側吐水口（内出口）
２６２ｂ  内側流入口（内入口）
２６３  滴下防止ガイド
２６４  外側ガイド
２６４ａ  外側吐水口（外出口）
２６４ｂ  外側流入口（外入口）
Ｋ  壁面
Ｍ１  内側出口面積
Ｍ２  内側入口面積
Ｎ１  外側出口面積
Ｎ２  外側入口面積
Ｗ  洗浄水
Ｗ１  内側洗浄水
Ｗ２  外側洗浄水
Ｘ１  左右方向
Ｘ２  前後方向
Ｘ３  上下方向
【図１】
2019178573.tif 000003
【図２】
2019178573.tif 000004
【図３】
2019178573.tif 000005
【図４】
2019178573.tif 000006
【図５】
2019178573.tif 000007
【図６】
2019178573.tif 000008
【図７】
2019178573.tif 000009
【図８】
2019178573.tif 000010
【図９】
2019178573.tif 000011
【図１０】
2019178573.tif 000012
【図１１】
2019178573.tif 000013
【図１２】
2019178573.tif 000014
【図１３】
2019178573.tif 000015
【図１４】
2019178573.tif 000016
【図１５】
2019178573.tif 000017
【図１６】
2019178573.tif 000018
【図１７】
2019178573.tif 000019
【図１８】
2019178573.tif 000020